(57)【要約】【課題】複数本の偏波保持光ファイバ素線の偏波面角度が一致した光ファイバ配列部品およびその製造方法、単芯の偏波保持光ファイバ素線を備えた光ファイバピグテールおよびその製造方法、光ファイバ配列部品と光ファイバピグテールを備えた光部品を提供する。【解決手段】複数本の偏波保持光ファイバ素線１１がテープ状に形成された光ファイバ集合体２１、２２をなし、この光ファイバ集合体２１、２２のそれぞれを構成する偏波保持光ファイバ素線１１の裸光ファイバ部１３が、１本おきに光ファイバ収納部１４ａに収納され、偏波保持光ファイバ素線１１の偏波面角度が一致した光ファイバ配列部品。偏波保持光ファイバ素線１１の端面１１ａから直線偏光を入射し、端面１１ａから偏波面角度を観察し、偏波保持光ファイバ素線１１を、光軸を中心に回転させて偏波面角度を一致させる製造方法。【選択図】　　　　図１
2004004718.tif 000002
【特許請求の範囲】
【請求項１】
複数本の偏波保持光ファイバ素線の被覆層の一部が除去されて裸光ファイバ部が露出され、前記複数本の偏波保持光ファイバ素線が平行に配列され、前記裸光ファイバ部が基板に複数形成された光ファイバ収納部に収納され、固定された光ファイバ配列部品であって、
前記複数本の偏波保持光ファイバ素線は、その一部または全部が固定部材によって固定され、テープ状に形成されたｎ個（ｎは２以上の整数）の光ファイバ集合体を構成し、
前記ｎ個の光ファイバ集合体のそれぞれを構成する複数本の偏波保持光ファイバ素線が、１本以上おきに前記光ファイバ収納部に収納され、前記複数本の偏波保持光ファイバ素線の偏波面角度が一致していることを特徴とする光ファイバ配列部品。
【請求項２】
前記固定部材は、接着剤および／またはホルダからなることを特徴とする請求項１記載の光ファイバ配列部品。
【請求項３】
前記光ファイバ収納部は、Ｖ字溝、Ｕ字溝、台形溝、矩形溝、円孔であることを特徴とする請求項１または２記載の光ファイバ配列部品。
【請求項４】
前記ｎ個の光ファイバ集合体のそれぞれを構成する複数本の偏波保持光ファイバ素線同士の中心軸間距離が、前記光ファイバ収納部の開口部の大きさのｎ倍以上（ｎは２以上の整数）であることを特徴とする請求項１ないし３のいずれかに記載の光ファイバ配列部品。
【請求項５】
偏波保持光ファイバ素線が光ファイバ保持部材に収納され、固定された光ファイバピグテールであって、
前記偏波保持光ファイバ素線の偏波主軸の角度が、該偏波保持光ファイバ素線の一方の端面から偏光成分を有する光を入射し、該端面側から偏波面角度を観察して設定されたことを特徴とする光ファイバピグテール。
【請求項６】
請求項１ないし４のいずれかに記載の光ファイバ配列部品と、請求項５記載の光ファイバピグテールとを備えたことを特徴とする光部品。
【請求項７】
複数本の偏波保持光ファイバ素線の被覆層の一部を除去して裸光ファイバ部を露出し、前記複数本の偏波保持光ファイバ素線を平行に配列し、前記裸光ファイバ部を基板に複数形成した光ファイバ収納部に収納し、固定する光ファイバ配列部品の製造方法において、
前記複数本の偏波保持光ファイバ素線を、その一部または全部を固定部材によって固定し、テープ状に形成してｎ個（ｎは２以上の整数）の光ファイバ集合体を構成し、
前記ｎ個の光ファイバ集合体のそれぞれを構成する複数本の偏波保持光ファイバ素線を、１本以上おきに前記光ファイバ収納部に収納し、前記複数本の偏波保持光ファイバ素線の偏波面角度を一致させることを特徴とする光ファイバ配列部品の製造方法。
【請求項８】
請求項７記載の光ファイバ配列部品の製造方法において、
前記複数本の偏波保持光ファイバ素線の一方の端面から直線偏光を入射し、該端面側から偏波面角度を観察して、前記複数本の偏波保持光ファイバ素線を光軸を中心に回転させて偏波面角度を一致させることを特徴とする光ファイバ配列部品の製造方法。
【請求項９】
偏波保持光ファイバ素線を光ファイバ保持部材に収納し、固定する光ファイバピグテールの製造方法であって、
前記偏波保持光ファイバ素線の偏波主軸の角度を、該偏波保持光ファイバ素線の一方の端面から偏光成分を有する光を入射し、該端面側から偏波面角度を観察して設定することを特徴とする光ファイバピグテールの製造方法。
【発明の詳細な説明】
【０００１】
【発明の属する技術分野】
本発明は、偏波保持光ファイバを固定するための光ファイバ配列部品およびその製造方法、光ファイバピグテールおよびその製造方法、光ファイバ配列部品と光ファイバピグテールを備えた光部品に関するものである。
【０００２】
【従来の技術】
図６は、従来の偏波保持光ファイバを用いた光ファイバ配列部品の構成を示す概略斜視図である。
この光ファイバ配列部品は、４本の偏波保持光ファイバ素線１、１、…の被覆層２、２、…が除去された裸光ファイバ部３、３、…が、基板４のＶ溝４ａ、４ａ、…に収納された後、被覆層２の一部および裸光ファイバ部３が接着剤（図示略）などで基板４に固定され、裸光ファイバ部３を保護するために、Ｖ溝４ａ、４ａ、…に蓋５がなされた構造となっている（例えば、特許文献１参照。）。
【０００３】
【特許文献１】
特開平５−２６４８４５号公報
【０００４】
【発明が解決しようとする課題】
特許文献１に記載の発明は、複数の偏波保持光ファイバを配列した光ファイバアレイの前面部分を、ＣＣＤカメラを用いて可視画像として表示し、偏波保持光ファイバの２つの応力付与部の中心が基準ライン上に一致する角度位置まで前記偏波保持光ファイバを回転し、回転角度位置が調整され、光ファイバアレイの組立作業全体の効率化を図る組立方法である。
【０００５】
通常、偏波保持光ファイバ１の端面１ａにおいて、偏波保持光ファイバ１を構成する応力付与部１ｂ、１ｂのコア１ｃに対する位置は僅かにずれている。応力付与部１ｂ、１ｂは、コア１ｃに対し正確な点対称に配置されておらず、そのため、コア１ｃに対する実際の応力付与方向は、応力付与部１ｂ、１ｂの配列方向に対し±３°程度ずれている。よって、端面１ａ側から応力付与部１ｂ、１ｂの方向を観察しながら偏波保持光ファイバ１を回転させて、複数の偏波保持光ファイバ１の応力付与方向を一致させると、偏波保持光ファイバ１の端面１ａにおいて、偏波面角度（偏波主軸の角度）がずれ、偏波消光比が劣化する原因となっていた。
ここで、偏波消光比とは、光変調器において、透過光強度を変化させたとき、その最大値Ｉｍａｘと、最小値Ｉｍｉｎの比Ｉｍａｘ／Ｉｍｉｎのことをいう。
【０００６】
また、近年、高密度化しつつある光通信における要求に応えるために、光ファイバ配列部品も高密度化、高集積化することが望まれている。
例えば、図６に示したような偏波保持光ファイバを用いた光ファイバ配列部品を高密度化、高集積化すると、偏波保持光ファイバ１、１、…同士の間隔が密になる。その結果として、隣り合う偏波保持光ファイバ１、１、…の被覆層２、２、…同士が擦れ合って、偏波保持光ファイバ１、１、…が回転し、調整した応力付与方向がずれて、偏波面角度がずれ、偏波消光比が劣化することがあった。
【０００７】
特に、基板４のＶ溝４ａの幅や、偏波保持光ファイバ１、１、…の中心軸から中心軸までの間隔が裸光ファイバ部３の外径程度となると、偏波保持光ファイバ１、１、…の被覆層２、２、…同士が干渉し合って、偏波保持光ファイバ１、１、…を回転させることができず、これらの偏波面角度を一致させることができなかった。したがって、従来の光ファイバ配列部品のような構造では、高密度化、高集積化することが困難であった。
さらに、裸光ファイバ部３のＶ溝４ａへの収納と、複数本の偏波保持光ファイバ１の偏波面角度の調整を同時に行なうことは作業者への負担が大きい上に、この２つの作業において不具合を生じることがあり、その結果として、光ファイバ配列部品の製品の歩留まりを低下させていた。
【０００８】
本発明は、前記事情に鑑みてなされたもので、複数本の偏波保持光ファイバ素線を備え、この偏波保持光ファイバ素線の偏波面角度が一致しており、製造が容易な光ファイバ配列部品およびその製造方法、単芯の偏波保持光ファイバ素線を備えた光ファイバピグテールおよびその製造方法、光ファイバ配列部品と光ファイバピグテールを備えた光部品を提供することを課題とする。
【０００９】
【課題を解決するための手段】
前記課題は、複数本の偏波保持光ファイバ素線の被覆層の一部が除去されて裸光ファイバ部が露出され、前記複数本の偏波保持光ファイバ素線が平行に配列され、前記裸光ファイバ部が基板に複数形成された光ファイバ収納部に収納され、固定された光ファイバ配列部品であって、前記複数本の偏波保持光ファイバ素線は、その一部または全部が固定部材によって固定され、テープ状に形成されたｎ個（ｎは２以上の整数）の光ファイバ集合体を構成し、前記ｎ個の光ファイバ集合体のそれぞれを構成する複数本の偏波保持光ファイバ素線が、１本以上おきに前記光ファイバ収納部に収納され、前記複数本の偏波保持光ファイバ素線の偏波面角度が一致している光ファイバ配列部品によって解決できる。
前記固定部材は、接着剤および／またはホルダからなることが好ましい。
前記光ファイバ収納部は、Ｖ字溝、Ｕ字溝、台形溝、矩形溝、円孔であることが好ましい。
前記ｎ個の光ファイバ集合体のそれぞれを構成する複数本の偏波保持光ファイバ素線同士の中心軸間距離が、前記光ファイバ収納部の開口部の大きさのｎ倍以上（ｎは２以上の整数）であることが好ましい。
前記課題は、偏波保持光ファイバ素線が光ファイバ保持部材に収納され、固定された光ファイバピグテールであって、前記偏波保持光ファイバ素線の偏波主軸の角度が、該偏波保持光ファイバ素線の一方の端面から偏光成分を有する光を入射し、該端面側から偏波面角度を観察して設定された光ファイバピグテールによって解決できる。
前記課題は、上記光ファイバ配列部品と、上記光ファイバピグテールとを備えた光部品によって解決できる。
【００１０】
前記課題は、複数本の偏波保持光ファイバ素線の被覆層の一部を除去して裸光ファイバ部を露出し、前記複数本の偏波保持光ファイバ素線を平行に配列し、前記裸光ファイバ部を基板に複数形成した光ファイバ収納部に収納し、固定する光ファイバ配列部品の製造方法において、前記複数本の偏波保持光ファイバ素線を、その一部または全部を固定部材によって固定し、テープ状に形成してｎ個（ｎは２以上の整数）の光ファイバ集合体を構成し、前記ｎ個の光ファイバ集合体のそれぞれを構成する複数本の偏波保持光ファイバ素線を、１本以上おきに前記光ファイバ収納部に収納し、前記複数本の偏波保持光ファイバ素線の偏波面角度を一致させる光ファイバ配列部品の製造方法によって解決できる。
上記光ファイバ配列部品の製造方法において、前記複数本の偏波保持光ファイバ素線の一方の端面から直線偏光を入射し、該端面側から偏波面角度を観察して、前記複数本の偏波保持光ファイバ素線を光軸を中心に回転させて偏波面角度を一致させることが好ましい。
前記課題は、偏波保持光ファイバ素線を光ファイバ保持部材に収納し、固定する光ファイバピグテールの製造方法であって、前記偏波保持光ファイバ素線の偏波主軸の角度を、該偏波保持光ファイバ素線の一方の端面から偏光成分を有する光を入射し、該端面側から偏波面角度を観察して設定する光ファイバピグテールの製造方法によって解決できる。
【００１１】
【発明の実施の形態】
以下、本発明を詳しく説明する。
図１は、本発明の光ファイバ配列部品の一例を示す概略構成図である。
この例の光ファイバ配列部品は、基板１４と、２つの光ファイバ集合体２１、２２とから概略構成されている。
【００１２】
基板１４は、２つの光ファイバ集合体２１、２２のそれぞれを構成する複数本の偏波保持光ファイバ素線１１を収納するための、複数の光ファイバ収納部１４ａが形成されているものである。
基板１４の光ファイバ収納部１４ａは、基板１４の表面に、平行に形成された複数のＶ字状の溝、Ｕ字状の溝、台形状の溝、矩形状の溝など、あるいは基板１４を貫通し、平行に形成された複数の細孔などである。この細孔の形状もまた、円形状、矩形状、台形状などであってもよい。
また、光ファイバ収納部１４ａの開口部の大きさ（幅）は５０〜５００μｍ程度、長さは２〜３０ｍｍ程度となっている。
このように、基板１４に複数の光ファイバ収納部１４ａを設けることにより、複数本の偏波保持光ファイバ素線１１を効率的かつ規則的に配列し、光ファイバ配列部品を高密度化、高集積化することができる。
【００１３】
光ファイバ集合体２１、２２は、例えば、図２に示すように、複数本の偏波保持光ファイバ素線１１が平行に配列され、その被覆層１２の一部または全部が固定部材の接着剤１５によって、密着するように固定され、テープ状に形成されたものである。
ここで、接着剤１５としては、ウレタンアクリレート系、エポキシアクリレート系などの紫外線硬化型樹脂が用いられる。
【００１４】
また、光ファイバ集合体２１、２２としては、以下に示すような構造のものも例示できる。
図３は、本発明の光ファイバ配列部品を構成する光ファイバ集合体の第２の例を示す概略構成図である。
この例の光ファイバ集合体２１、２２は、複数本の偏波保持光ファイバ素線１１が平行に配列され、その被覆層１２の一部または全部がホルダ１６に設けられた収納溝１６ａに収納され、さらに、接着剤１５によって、密着するように固定されてテープ状に形成されたものである。ホルダ１６に設けられた収納溝１６ａは、ここに収納される偏波保持光ファイバ素線の本数に応じて、その大きさが決定される。
なお、この例では、複数本の偏波保持光ファイバ素線１１を固定するために接着剤１５とホルダ１６を併用したが、ホルダ１６のみで複数本の偏波保持光ファイバ素線１１を固定してもよい。
【００１５】
図４は、本発明の光ファイバ配列部品を構成する光ファイバ集合体の第３の例を示す概略構成図である。
この例の光ファイバ集合体２１、２２は、複数本の偏波保持光ファイバ素線１１が平行に配列され、その被覆層１２の一部または全部が接着剤１５によって、密着するように固定され、一対のホルダ１６、１６で挟持され、ホルダ１６に設けられた収納溝１６ａに収納されてテープ状に形成されたものである。
この例の光ファイバ集合体は、偏波保持光ファイバ素線１１の本数が多い場合に有効である。
【００１６】
このような光ファイバ集合体２１、２２では、複数本の偏波保持光ファイバ素線１１を固定部材で固定する位置を、複数本の偏波保持光ファイバ素線１１の先端部近傍とすることが好ましい。このようにすれば、複数本の偏波保持光ファイバ素線１１を基板１４の複数の光ファイバ収納部１４ａに収納する際に、作業を効率的に行なうことができる。
また、この光ファイバ集合体では、複数本の偏波保持光ファイバ素線１１が、後述の製造方法によって、その偏波面角度（偏波主軸の角度）が一致するように配列されている。
【００１７】
このような光ファイバ集合体２１、２２を、あらかじめ形成し、光ファイバ配列部品に適用すれば、複数本の偏波保持光ファイバ素線１１の裸光ファイバ部１３を基板１４の複数の光ファイバ収納部１４ａに収納する際に、あらためて複数本の偏波保持光ファイバ素線１１の偏波面角度を調整する必要がない。また、複数本の偏波保持光ファイバ素線１１が規則的に配列され、固定されているから、これらの被覆層が干渉し合って、複数本の偏波保持光ファイバ素線１１が回転し、偏波面角度がずれることはない。さらに、この光ファイバ集合体を用いて、光ファイバ配列部品を形成すれば、一度に、複数本の偏波保持光ファイバ素線１１を、基板１４の複数の光ファイバ収納部１４ａに収納することができるから、作業効率が向上し、コストを削減することができる。
【００１８】
上記基板１４に形成された複数の光ファイバ収納部１４ａには、２つの光ファイバ集合体２１、２２のそれぞれを構成する複数本の偏波保持光ファイバ素線１１が、交互に収納されている。具体的には、第１の光ファイバ収納部１４ａには、光ファイバ集合体２１の第１の偏波保持光ファイバ素線１１が収納され、第２の光ファイバ収納部１４ａには、光ファイバ集合体２２の第１の偏波保持光ファイバ素線１１が収納され、第３の光ファイバ収納部１４ａには、光ファイバ集合体２１の第２の偏波保持光ファイバ素線１１が収納され、以下、同様に、複数の光ファイバ収納部１４ａに偏波保持光ファイバ素線１１が収納されている。
さらに、光ファイバ収納部１４ａに収納された複数本の偏波保持光ファイバ素線１１の偏波面角度が、全て一致している。
【００１９】
偏波保持光ファイバ素線１１の裸光ファイバ部１３は、高屈折率のコア１３ａと、このコア１３ａの周囲に、このコア１３ａと同心円状に設けられ、かつこのコア１３ａよりも低屈折率のクラッド１３ｂと、このクラッド１３ｂ内に、コア１３ａを中心に概対称に配置され、かつクラッド１３ｂよりも一般的に低屈折率である断面円形の２つの応力付与部１３ｃ、１３ｃとから構成されている。
【００２０】
また、光ファイバ集合体２１を構成する複数本の偏波保持光ファイバ素線１１同士の中心軸間距離、および光ファイバ集合体２２を構成する複数本の偏波保持光ファイバ素線１１同士の中心軸間距離が、光ファイバ収納部１４ａの開口部の大きさ（幅）の２倍以上であることが好ましい。このようにすれば、光ファイバ集合体２１、２２のそれぞれの裸光ファイバ部１３を、光ファイバ収納部１４ａに収納する際に、裸光ファイバ部１３同士が擦れ合って、偏波保持光ファイバ素線１１が回転し、偏波面角度がずれることがない。さらに、この中心軸間距離が、偏波保持光ファイバ素線１１の外径の２倍以上であることがより好ましい。このようにすれば、偏波保持光ファイバ素線１１の被覆層１２同士が干渉して、偏波保持光ファイバ素線１１が回転し、偏波面角度がずれることがない。
【００２１】
なお、本発明の光ファイバ配列部品は、上述の例のように、２つの光ファイバ集合体を用いたものに限定されるものではなく、光ファイバ集合体を３つ以上用いたものであってもよい。また、用いる偏波保持光ファイバ素線の本数に応じて、基板の大きさや、これに設けられる光ファイバ収納部の数を設定すれば、より高密度化、高集積化された光ファイバ配列部品を作製することができる。
【００２２】
このように本発明の光ファイバ配列部品は、偏波保持光ファイバ素線を高密度化、高集積化しても、偏波保持光ファイバ素線同士が干渉し合って、これらの偏波面角度がずれることなく、一致した状態を保つことができる。したがって、本発明の光ファイバ配列部品は、偏波消光比が劣化することなく、高密度光通信に好適に用いられる。また、本発明の光ファイバ配列部品は、複数本の偏波保持光ファイバ素線をテープ状に束ねた光ファイバ集合体を用いることにより、製造が容易で、しかも製造不良が生じ難い構造となっている。
【００２３】
次に、図１〜図５を用いて、本発明の光ファイバ配列部品の製造方法について説明する。
所定の長さに切断した複数本の偏波保持光ファイバ素線１１の先端部の被覆層１２を除去して裸光ファイバ部１３を露出し、この裸光ファイバ部１３の端面を鏡面状に切断する。
次いで、図５に示すように、複数本の偏波保持光ファイバ素線１１の先端部を、光ファイバ支持具３０の表面に、平行に複数形成されたＶ字状の溝３０ａに嵌め込んで、複数本の偏波保持光ファイバ素線１１の先端部を整列させて、位置決めする。このとき、溝３０ａには、裸光ファイバ部１３だけでなく、被覆層１２部分を嵌め込んでもよい。また、溝３０ａの形状は、Ｖ字状に限定されるものではなく、Ｕ字状、台形状、矩形状などであってもよい。なお、ここでは、光ファイバ支持具３０として、複数のＶ字状の溝３０ａが形成されたものを示したが、本発明の光ファイバ配列部品の製造方法で用いられる光ファイバ支持具は、溝が形成されていない１枚の板材であってもよい。
【００２４】
次いで、偏波保持光ファイバ素線１１の一方の端面１１ａから、直線偏光を入射し、端面１１ａから偏波面角度を観察しながら、偏波保持光ファイバ素線１１を、光軸を中心として回転させて、偏波面角度が所定の角度となるようにする。詳細には、偏光成分を有する（偏光度が０％でない）光を、偏波保持光ファイバ素線１１の一方の端面１１ａから入射し、偏波保持光ファイバ素線１１を回転させて、偏波主軸で保持される直線偏光と所望の角度に設定した検光子の主軸とを照合させ、検光子を透過した後の出射光を光パワーメータ（ＯＰＭ）でモニターする。そして、偏波保持光ファイバ素線１１の偏波主軸と検光子の主軸とが直交する点、すなわち出射光のパワーが極小値となる点まで、偏波保持光ファイバ素線１１を回転し、偏波主軸の角度設定を行なう。
この際、偏波面角度だけでなく、場合によっては、偏波消光比も同時に観察しながら偏波面角度の調整をしてもよい。ここで、直線偏光とは、偏光の１種で、光波の電界および磁界の振動方向が１方向であるものをいい、このような偏波面角度の調整には好適な光である。
このような偏波面角度の調整を、光ファイバ支持具３０の溝３０ａに嵌め込まれた全ての偏波保持光ファイバ素線１１について行ない、全ての偏波保持光ファイバ素線１１の偏波面角度を一致させる。
【００２５】
次いで、複数本の偏波保持光ファイバ素線１１の被覆層１２同士を図２に示すように接着剤１５で固定するか、図３に示すように接着剤１５とホルダ１６を併用して固定するか、ホルダ１６のみで固定するか、または、図４に示すように接着剤１５で固定し、かつ一対のホルダ１６、１６で挟持して、複数本の偏波保持光ファイバ素線１１がテープ状に束ねられた光ファイバ集合体を形成する。この工程は、偏波保持光ファイバ素線１１の偏波面角度を調整する毎に、１本ずつ行なってもよい。
次いで、光ファイバ集合体を光ファイバ支持具３０から取り外す。
上記一連の工程により、図１に示すような２つの光ファイバ集合体２１、２２を形成する。
【００２６】
次いで、光ファイバ集合体２１、２２のそれぞれを構成する複数本の偏波保持光ファイバ素線１１の裸光ファイバ部１３を、交互に基板１４に複数形成された光ファイバ収納部１４ａに収納する。この際、光ファイバ集合体２１、２２は、これらのそれぞれを構成する複数本の偏波保持光ファイバ素線１１の被覆層１２が形成されている部分が重なるように配置する。
次いで、裸光ファイバ部１３と光ファイバ収納部１４ａを、両者の接触部分に接着剤を塗布して、これを硬化し、固定する。さらに、被覆層１２同士の接触部分、および被覆層１２と基板１４の接触部分に接着剤を塗布して、これを硬化し、固定する。
なお、この後、光ファイバ集合体を構成している固定部材を外しても、そのままでもよい。
次いで、基板１４および、これに固定された複数本の偏波保持光ファイバ素線１１の端面を共に研削、もしくは研磨して、光導波路部品や光学素子などに実装、接続できるように整形して、光ファイバ配列部品を得る。
【００２７】
また、本発明の光ファイバピグテールは、単芯の偏波保持光ファイバ素線と、これを保持する光ファイバ保持部材とから概略構成されており、偏波保持光ファイバ素線の偏波面角度（偏波主軸の角度）が、上述の本発明の光ファイバ配列部品の製造方法と同様に、偏波保持光ファイバ素線の一方の端面から偏光成分を有する（偏光度が０％でない）光を入射し、その端面側から偏波面角度を観察して設定されたものである。
したがって、本発明の光ファイバピグテールは、その位置基準（平面、溝、突起など）と、偏波保持光ファイバ素線の固有の偏波主軸を精度良く位置決めし、固定することができる。
【００２８】
さらに、本発明の光部品は、上述の本発明の光ファイバ配列部品と、光ファイバピグテールとから概略構成され、例えば、光ファイバ配列部品に備えられた偏波保持光ファイバ素線と、光ファイバピグテールに備えられた偏波保持光ファイバ素線とが突き合わされて配置されたものである。
本発明の光部品は、光ファイバ配列部品および光ファイバピグテールに備えられた偏波保持光ファイバ素線の固有の偏波主軸が精度良く位置決めされているから、光ファイバ配列部品と光ファイバピグテールの突き合わせ接続によって、光部品の偏波保持機能が劣化するのを防止することができる。
【００２９】
【発明の効果】
以上説明したように、本発明の光ファイバ配列部品によれば、これを構成する複数本の偏波保持光ファイバの被覆層同士が干渉することなく、偏波保持光ファイバ素線の偏波面角度を回転調整することができるから、他の偏波保持光ファイバ素線が回転して、偏波面角度がずれることがない。
また、本発明の光ファイバピグテールは、その位置基準と、偏波保持光ファイバ素線の固有の偏波主軸を精度良く位置決めし、固定することができる。
本発明の光ファイバ配列部品の製造方法によれば、偏波保持光ファイバ素線の端面を観察して、直接、偏波面角度および偏波消光比を観察しながら偏波保持光ファイバ素線を回転調整するので、光ファイバ配列部品を構成する全ての偏波保持光ファイバ素線の偏波面角度を容易に一致させることができ、光ファイバ配列部品の端面における偏波消光比の劣化を低く抑えることができる。また、偏波面角度を一致させた後に、複数本の偏波保持光ファイバ素線をテープ状に束ねて、基板の光ファイバ収納部に、偏波保持光ファイバ素線を嵌め込むので、光ファイバ収納部の開口部の幅が裸光ファイバ部の外径とほぼ同一であっても、偏波面角度が所定の向きに揃った光ファイバ配列部品を製造できる。さらに、偏波保持光ファイバ素線の回転調整と、光ファイバ収納部への収納、基板への接着を独立した作業として行なえる。これにより、作業者への負担が低く、偏波保持光ファイバ素線の光ファイバ収納部への収納不良や、回転調整不良などを低減することができ、光ファイバ配列部品の製品の歩留まりを向上することができる。
【図面の簡単な説明】
【図１】本発明の光ファイバ配列部品の一例を示す概略構成図である。
【図２】本発明の光ファイバ配列部品を構成する光ファイバ集合体の第１の例を示す概略構成図である。
【図３】本発明の光ファイバ配列部品を構成する光ファイバ集合体の第２の例を示す概略構成図である。
【図４】本発明の光ファイバ配列部品を構成する光ファイバ集合体の第３の例を示す概略構成図である。
【図５】本発明の光ファイバ配列部品の製造方法において、光ファイバ支持具を用いて偏波保持光ファイバ素線の偏波面角度を調整する工程を示す概略構成図である。
【図６】従来の偏波保持光ファイバを用いた光ファイバ配列部品の構成を示す概略斜視図である。
【符号の説明】
１１・・・偏波保持光ファイバ素線、１１ａ・・・端面、１２・・・被覆層、１３・・・裸光ファイバ部、１３ａ・・・コア、１３ｂ・・・クラッド、１３ｃ・・・応力付与部、１４・・・基板、１４ａ・・・光ファイバ収納部、１５・・・接着剤、１６・・・ホルダ、１６ａ・・・収納溝、２１，２２・・・光ファイバ集合体、３０・・・光ファイバ支持具、３０ａ・・・溝。
【図１】
2004004718.tif 000003
【図２】
2004004718.tif 000004
【図３】
2004004718.tif 000005
【図４】
2004004718.tif 000006
【図５】
2004004718.tif 000007
【図６】
2004004718.tif 000008